(57)【特許請求の範囲】
【請求項１】
端末装置やパーソナルコンピュータの表示画面上にユーザに対する操作指示を行う文章を表示する文字表示方法において、表示すべき文章の中の平仮名以外の文字または文字列を、平仮名より先に通常の表示より大きく表示し、その後、平仮名を含む文章を通常の大きさで表示することを特徴とする文字表示方法。
【請求項２】
端末装置やパーソナルコンピュータの表示画面上にユーザに対する操作指示を行う文章を表示する文字表示方法において、表示すべき文章の中の平仮名以外の文字または文字列を、平仮名より先に表示し、その表示の際、通常よりも大きく表示画面内の最終的に表示しようとする位置以外の位置に表示し、その表示を通常の大きさに縮小しながら表示しようとする位置に移動させることを特徴とする文字表示方法。
【請求項３】
表示すべき文章の中に平仮名以外の文字または文字列が平仮名に挟まれて複数ある場合、文章の先頭、または、平仮名に挟まれている平仮名以外の文字または文字列を単位として、文章の先頭から順に単位毎に表示を行うことを特徴とする請求項２記載の文字表示方法。
【請求項４】
前記平仮名以外の文字または文字列が、漢字、片仮名、数字、外国文字の少なくとも１つであることを特徴とする請求項１ないし３のうちいずれか１記載の文字表示方法。
【請求項５】
端末装置やパーソナルコンピュータの表示画面上にユーザに対する操作指示を行う文章を表示する文字表示装置において、表示すべき文章の中の平仮名以外の文字または文字列を、平仮名より先に通常の表示より大きく表示する表示手段と、該手段による表示の後、平仮名を含む文章を通常の大きさで表示する表示手段とを備えたことを特徴とする文字表示装置。
【請求項６】
端末装置やパーソナルコンピュータの表示画面上にユーザに対する操作指示を行う文章を表示する文字表示装置において、表示すべき文章の中の平仮名以外の文字または文字列を、平仮名より先に表示し、その表示の際、通常よりも大きく表示画面内の最終的に表示しようとする位置以外の位置に表示する手段と、該手段により表示された平仮名以外の文字または文字列を通常の大きさに縮小しながら表示しようとする位置に移動させて表示する表示手段とを備えたことを特徴とする文字表示装置。
【請求項７】
表示すべき文章の中に平仮名以外の文字または文字列が平仮名に挟まれて複数ある場合、文章の先頭、または、平仮名に挟まれている平仮名以外の文字または文字列を単位として、文章の先頭から順に単位毎に表示を行う表示手段を備えたことを特徴とする請求項６記載の文字表示装置。
【請求項８】
前記平仮名以外の文字または文字列が、漢字、片仮名、数字、外国文字の少なくとも１つであることを特徴とする請求項５ないし７のうちいずれか１記載の文字表示装置。
【発明の詳細な説明】
【０００１】
【発明の属する技術分野】
本発明は、文字表示方法及び文字表示装置に係り、特に、端末装置やパーソナルコンピュータの表示画面上にユーザに対する操作指示を行う文章を表示する文字表示する場合に、ユーザに操作内容を素早く理解させることができるようにした文字表示方法及び文字表示装置に関する。
【０００２】
【従来の技術】
従来、例えば、パーソナルコンピュータ、銀行等において顧客が使用するＡＴＭ、商店等に設置され通信回線を介したソフトウェア等の購入のための端末装置等において、その操作者が所要業務を遂行する場合に、端末装置側から操作者に対して操作指示が表示装置に文章を表示して行われるのが一般的である。そして、操作者は、表示された画面上の文章による指示に従って、自分が行いたい業務を遂行していく。
【０００３】
【発明が解決しようとする課題】
前述した従来技術による端末装置等の操作を指示する文章を表示する文字表示方法は、表示画面内の特定の位置に文章により操作内容を表示するものである。一般に、文章は、日本語の場合、平仮名、漢字、片仮名、数字、外国語の文字が混在した状態で表現される。このため、操作者は、表示された文章を先頭から順番に読んでその内容を把握理解して、端末装置等の操作を行うことになる。
【０００４】
前述した従来技術は、操作者が文章の全部を文章の先頭から読まなければならず、文章を読んで理解するために時間を要し、必要な操作を開始できるまでに無駄な時間を消費させるという問題点を有している。
【０００５】
本発明の目的は、前記従来技術による文字表示方法の問題点を解決し、操作者に素早く操作内容を理解させることができるように、端末装置やパーソナルコンピュータの表示画面上にユーザに対する操作指示を行う文章を表示する文字表示方法及び文字表示装置を提供することにある。
【０００６】
【課題を解決するための手段】
本発明によれば前記目的は、端末装置やパーソナルコンピュータの表示画面上にユーザに対する操作指示を行う文章を表示する文字表示方法、文字表示装置において、表示すべき文章の中の平仮名以外の文字または文字列を、平仮名より先に通常の表示より大きく表示し、その後、平仮名を含む文章を通常の大きさで表示することにより達成される。
【０００７】
また、前記目的は、前述において、表示すべき文章の中の平仮名以外の文字または文字列を、平仮名より先に表示し、その表示の際、通常よりも大きく表示画面内の最終的に表示しようとする位置以外の位置に表示し、その表示を通常の大きさに縮小しながら表示しようとする位置に移動させるようにすることにより達成される。
【０００８】
さらに、前記目的は、前述において、表示すべき文章の中に平仮名以外の文字または文字列が平仮名に挟まれて複数ある場合、文章の先頭、または、平仮名に挟まれている平仮名以外の文字または文字列を単位として、文章の先頭から順に単位毎に表示を行うようにすることにより、また、前記平仮名以外の文字または文字列が、漢字、片仮名、数字、外国文字の少なくとも１つとすることにより達成される。
【０００９】
前述したような構成を持つ本発明は、一般に、日本語の文章の中で重要な意味を持つ部分が、平仮名以外の漢字、片仮名、数字、外国文字等により表現されているという事実に基づくもので、これらの平仮名以外の文字を、先に見易い状態で表示させるようにすることにより、利用者である操作者に、文章全体が表示される前に、その内容を理解させることが可能となり、利用者の端末操作の効率の向上を図ることができる。
【００１０】
【発明の実施の形態】
以下、本発明による文字表示方法及び文字表示装置の一実施形態を図面により詳細に説明する。
【００１１】
図１は本発明の一実施形態による文字表示方法を実行する情報処理装置の構成例を示すブロック図、図２は本発明の一実施形態を実行する情報処理装置による一般的な情報処理の手順を説明するフローチャート、図３は本発明の一実施形態により表示される文章の表示状態の変化例を説明する図、図４は本発明の他の実施形態により表示される文章の表示状態の変化例を説明する図である。図１において、１０１はＣＰＵ、１０２は表示装置、１０３は入力装置、１０４はハードディスク装置、１０５は内部メモリ、１０６はフロッピーディスクまたはＣＤ−ＲＯＭ用ディスクドライブである。
【００１２】
本発明を実行する処理装置は、図１に示すように、装置全体の処理を制御するＣＰＵ１０１と、ＣＲＴ、液晶等により構成される表示装置１０２と、キーボード、マウス等を備える入力装置１０３と、処理に必要なデータ等を格納するハードディスク装置１０４と、ＯＳ、アプリケーションプログラム等を格納し、ＣＰＵ１０１の処理動作のために使用される内部メモリ１０５と、外部からのデータを取り込み、あるいは外部にデータを出力するためのフロッピーディスク、ＣＤ−ＲＯＭに対するディスクドライブ１０６とにより構成される。
【００１３】
次に、図２に示すフローを参照して、本発明の一実施形態を実行する情報処理装置による一般的な情報処理の手順を説明する。
【００１４】
（１）本発明の一実施形態を実行する情報処理装置が、例えば、ＡＴＭであるとする。利用者は、表示装置１０２に表示されている初期画面から、キーボードあるいはタッチパネル等の入力装置１０３を使用して、自分が行いたいアプリケーションの選択を行う。情報処理装置が銀行等に設置されているＡＴＭである場合、アプリケーションとしては、入金、出金、振込み、残高照会、記帳等であり、利用者は、これらの１つを選択する（ステップ２０１、２０２）。
【００１５】
（２）ステップ２０２でアプリケーションの選択が行われると、情報処理装置は、そのアプリケーションで必要な最初の入力画面Ａを表示装置１０２に表示して、利用者にデータの入力を促す（ステップ２０３）。
【００１６】
（３）ステップ２０３での入力画面に対して利用者が必要なデータを入力すると、情報処理装置は、次の入力画面Ｂを表示装置１０２に表示して、利用者に次のデータの入力を促す（ステップ２０４、２０５）。
【００１７】
（４）利用者は、さらに、ステップ２０５の表示画面による入力の指示に従って次のデータの入力を行う（ステップ２０６）。
【００１８】
（５）情報処理装置は、前述のステップ２０３〜ステップ２０６に示すような、データ入力の指示画面の表示と、この指示に従った利用客のデータ入力との処理を、選択されたアプリケーションの実行に必要な全データが入力されるまで行った後、入力されたデータを使用して、選択されたアプリケーションを実行する。
【００１９】
本発明の実施形態による文字の表示は、前述したステップ２０３、２０５等の入力指示画面の表示における指示文章の文字の表示である。
【００２０】
一般に、このような場合の入力指示の文章は、例えば、「ユーザ名を入力して下さい。」、「暗証番号を入力して下さい。」等として表現される。本発明は、このような操作指示のための文章として表示される文字列を、利用者が素早く理解できるように表示するものであり、以下、図３を参照して、本発明の一実施形態により表示される文章の表示状態の変化例を説明する。
【００２１】
図３に示す例は、入力の指示を行うための文章として、「ユーザ名を入力して下さい。」という入力指示の文章を表示する場合の例である。本発明による文字表示方法は、まず最初に、図３（ａ）に示すように、「ユーザ名」という片仮名と漢字とによる一塊の述語、及び「入力」という漢字による述語を、文章全体を表示する場合に比較して大きい文字により表示する。次に、図３（ｂ）に示すように、前述で表示した述語の前後を埋める平仮名を表示すると同時に、文字の大きさも通常の大きさとして表示する。最後に、図３（ｃ）に示すように、データ入力領域３０１を表示すると共に、タッチパネル部３０２にデータ入力のために必要な文字を表示したボタン等を表示する。
【００２２】
図３に示す例の場合、入力画面が図３（ｃ）に示すような状態になったときに、タッチパネル部３０２を使用して、データ入力領域３０１に指示に従って必要なデータを入力する。
【００２３】
前述した本発明の実施形態によれば、入力指示の画面の表示の際、最初に、平仮名以外の文字または文字列を、通常より大きく表示するので、利用者は、文章全体が表示される前に、その指示内容を理解することができる。図３に示す例では、「ユーザ名」、「入力」という２つの言葉が表示されるが、日本語は、通常、平仮名以外の部分が重要な意味を持ち、この例の場合でも、「ユーザ名」、「入力」という表示された２つの言葉だけで、ユーザは、文章の全体が表示されるまでもなく、「ユーザ名を入力する」という指示を理解することができる。
【００２４】
次に、図４を参照して、本発明の他の実施形態により表示される文章の表示状態の変化例を説明する。この例も、入力の指示を行うための文章として、「ユーザ名を入力して下さい。」という入力指示の表示する場合の例である。
【００２５】
図４に示す本発明の他の実施形態においては、まず、入力指示文章の先頭あるいは先頭に一番近い位置にある平仮名以外の文字または文字列、この例の場合、「ユーザ名」を、図４（ａ）に示すように、通常よりも非常に大きく表示画面内の最終的に表示しようとする位置以外の位置に表示し、その後、図４（ｂ）に示すように、その表示を通常の大きさに縮小しながら表示しようとする位置に移動させる。なお、図４（ａ）には、表示画面の表示領域外に文字を表示しているが、これは、このような位置からという例のために示したもので、実際には、表示領域内にのみ表示が行われる。
【００２６】
次に、入力指示文章のその次にある平仮名以外の文字または文字列、この例の場合、「入力」について、図４（ｃ）、図４（ｄ）に示すように、前述と同様に、通常よりも非常に大きく表示画面内の最終的に表示しようとする位置以外の位置に表示し、その後、その表示を通常の大きさに縮小しながら表示しようとする位置に移動させる。
【００２７】
さらに、図４（ｅ）に示すように、前述で表示した述語の前後を埋める平仮名を表示し、最後に、図４（ｆ）に示すように、データ入力領域３０１を表示すると共に、タッチパネル部３０２にデータ入力のために必要な文字を表示したボタン等を表示する。
【００２８】
前述した本発明の他の実施形態によれば、入力指示の画面の表示の際、最初に、平仮名以外の文字または文字列を、通常より大きく表示した通常の表示位置以外の位置から通常の大きさに縮小しながら表示しようとする位置に移動させているので、利用者は、文章全体が表示される前に、その指示内容を理解することができるという前述の実施形態の場合と同様な効果を得ることができる。
【００２９】
また、この本発明の実施形態によれば、平仮名以外の文字または文字列を、通常より大きく表示した通常の表示位置以外の位置から通常の大きさに縮小しながら表示しようとする位置に移動させるという動きのある表示を行っているので、さらに、その指示内容を容易に理解させることができる。
【００３０】
なお、前述した本発明の実施形態は、本発明をＡＴＭの表示に適用したとして説明したが、本発明は、操作等を指示する画面表示を行う処理を含む全ての端末装置、パソコン、ワークステーション等に適用することができる。また、前述した本発明の実施形態は、表示する文章の例として、「ユーザ名を入力して下さい。」という例を挙げて説明したが、本発明は、他の文例でもよい。さらに、前述した本発明の実施形態は、入力装置としてタッチパネルを使用するとして説明したが、本発明は、キーボード等の入力装置を使用することもできる。
【００３１】
【発明の効果】
以上説明したように本発明によれば、操作者に素早く操作内容を理解させることができるように指示文章の文字を表示することができ、本発明は、端末装置やパーソナルコンピュータの表示画面上にユーザに対する操作指示を行う文章を表示するために使用して極めて有効である。
【図面の簡単な説明】
【図１】本発明の一実施形態による文字表示方法を実行する情報処理装置の構成例を示すブロック図である。
【図２】本発明の一実施形態を実行する情報処理装置による一般的な情報処理の手順を説明するフローチャートである。
【図３】本発明の一実施形態により表示される文章の表示状態の変化例を説明する図である。
【図４】本発明の他の実施形態により表示される文章の表示状態の変化例を説明する図である。
【符号の説明】
１０１  ＣＰＵ
１０２  表示装置
１０３  入力装置
１０４  ハードディスク装置
１０５  内部メモリ
１０６  フロッピーディスクまたはＣＤ−ＲＯＭ用ディスクドライブ
【図１】
0004028656.tif 000002
【図２】
0004028656.tif 000003
【図３】
0004028656.tif 000004
【図４】
0004028656.tif 000005